(57)【要約】【課題】使い勝手、安全性、安定投影を考慮したプロジェクタ装置を提供すること。【解決手段】プロジェクタベース部２に対するプロジェクタ投影部１の回動位置に応じて、つまりプロジェクタ投影部１が収納時位置と投影時位置との何れにあるかで、当該プロジェクタ装置に関する電気的または機械的特性を異ならせる。例えば、投影時位置にプロジェクタ投影部１がある場合には吸気口１３を開き、収納時位置にプロジェクタ投影部１がある場合には吸気口１３を閉じて機械的特性を異ならせる。【選択図】      図１
2005055812.tif 000002
【特許請求の範囲】
【請求項１】
観察者が観察可能な画像を投影するプロジェクタ装置において、
少なくとも投影光学手段を含んだプロジェクタ投影部と、
前記プロジェクタ投影部に対し回動自在なように連結されると共に載置面に接して配置されるプロジェクタベース部と、
前記プロジェクタ投影部を収納時位置および投影時位置に回動させる回動手段と、
前記回動手段により回動される前記プロジェクタ投影部の位置に応じて該プロジェクタ装置に関する電気的または機械的特性を異ならせる特性変更手段と、
を具備することを特徴とするプロジェクタ装置。
【請求項２】
該プロジェクタ装置内に対し電源を供給可能な電源手段を更に具備し、
前記特性変更手段は、前記投影時位置に前記プロジェクタ投影部がある場合にのみ、該プロジェクタ装置内に対し電源を供給可能とするように前記電源手段を制御し電気的特性を異ならせる、
ことを特徴とする請求項１に記載のプロジェクタ装置。
【請求項３】
前記観察者が該プロジェクタ装置の動作を操作可能とする操作手段を更に具備し、
前記特性変更手段は、前記投影時位置に前記プロジェクタ投影部がある場合にのみ、前記操作手段による該プロジェクタ装置の動作を操作可能となるように制御し電気的特性を異ならせる、
ことを特徴とする請求項１に記載のプロジェクタ装置。
【請求項４】
該プロジェクタ装置内に対し電源を供給可能な電源手段を更に具備し、
前記特性変更手段は、前記投影時位置に前記プロジェクタ投影部があり、且つ、前記操作手段により該プロジェクタ装置内に対する電源供給を指示された時のみ、該プロジェクタ装置内に対し電源を供給するように前記電源手段を制御し電気的特性を異ならせる、
ことを特徴とする請求項３に記載のプロジェクタ装置。
【請求項５】
前記操作手段は、電源スイッチであることを特徴とする請求項４に記載のプロジェクタ装置。
【請求項６】
前記電源手段は、バッテリであることを特徴とする請求項２または４に記載のプロジェクタ装置。
【請求項７】
該プロジェクタ装置内に外部から空気を流入可能とする吸気口を更に具備し、
前記特性変更手段は、前記収納時位置に前記プロジェクタ投影部がある場合にのみ、前記吸気口を閉じて機械的特性を異ならせる、
ことを特徴とする請求項１に記載のプロジェクタ装置。
【請求項８】
該プロジェクタ装置内から外部に空気を排出可能とする排気口を更に具備し、
前記特性変更手段は、前記収納時位置に前記プロジェクタ投影部がある場合にのみ、前記排気口を閉じて機械的特性を異ならせる、
ことを特徴とする請求項１に記載のプロジェクタ装置。
【請求項９】
前記投影光学手段のうち最終レンズ面は、前記投影時位置に前記プロジェクタ投影部がある場合にのみ、前記観察者から観察可能な位置に現れることを特徴とする請求項１に記載のプロジェクタ装置。
【請求項１０】
前記プロジェクタベース部は、通信用ケーブルまたは電源用ケーブルを接続するためのコネクタを更に具備することを特徴とする請求項１に記載のプロジェクタ装置。
【請求項１１】
前記回動手段は、前記プロジェクタ投影部を前記プロジェクタベース部に対して開く方向に付勢していることを特徴とする請求項１に記載のプロジェクタ装置。
【請求項１２】
前記回動手段は、前記投影時位置にある前記プロジェクタ投影部を前記プロジェクタベース部に対してインターロックすることを特徴とする請求項１１に記載のプロジェクタ装置。
【請求項１３】
前記回動手段は、前記収納時位置にある前記プロジェクタ投影部を前記プロジェクタベース部に対してインターロックすることを特徴とする請求項１１に記載のプロジェクタ装置。
【請求項１４】
前記プロジェクタベース部は、戴置面と接する面上であり、且つ、前記回動手段が前記プロジェクタ投影部を回動させる回動軸と略直交する線上に、載置面に対する前記プロジェクタベース部の間隙を調整するあおり調整手段を少なくとも一つ具備することを特徴とする請求項１に記載のプロジェクタ装置。
【請求項１５】
前記回動手段が前記収納時位置から前記投影時位置に前記プロジェクタ投影部を回動する角度は、４５度であることを特徴とする請求項１に記載のプロジェクタ装置。
【請求項１６】
前記投影時位置に前記プロジェクタ投影部がある際に前記投影光学手段が投影する画像のアスペクト比は、横長であることを特徴とする請求項１５に記載のプロジェクタ装置。
【請求項１７】
前記回動手段が前記収納時位置から前記投影時位置に前記プロジェクタ投影部を回動する角度は、１３５度であることを特徴とする請求項１に記載のプロジェクタ装置。
【請求項１８】
前記投影時位置に前記プロジェクタ投影部がある際に前記投影光学手段が投影する画像のアスペクト比は、縦長であることを特徴とする請求項１７に記載のプロジェクタ装置。
【請求項１９】
投影時位置に前記プロジェクタ投影部がある際、該プロジェクタ装置全体の重心位置が前記プロジェクタベース部の上部に位置するように、前記プロジェクタ投影部の重心位置を前記回動軸側にシフトさせたことを特徴とする請求項１７に記載のプロジェクタ装置。
【請求項２０】
前記回動手段が前記収納時位置から前記投影時位置に前記プロジェクタ投影部を回動する角度は、４５度と１３５度を選択可能であることを特徴とする請求項１に記載のプロジェクタ装置。
【請求項２１】
前記回動手段が前記プロジェクタ投影部を４５度から１３５度に回動する際、前記プロジェクタ投影部から画像が投影されないことを特徴とする請求項２０に記載のプロジェクタ装置。
【請求項２２】
前記回動手段は、前記プロジェクタ投影部を回動する角度を前記観察者が微調整することを可能とする調整手段を有することを特徴とする請求項１７または２０に記載のプロジェクタ装置。
【請求項２３】
請求項１乃至２２の何れかに記載のプロジェクタ装置を組み込んだ机であって、
前記プロジェクタ投影部の筐体上面は、
前記収納時位置に前記プロジェクタ投影部が位置する際には、該机の天板上面と同一面となり、且つ、
前記投影時位置に前記プロジェクタ投影部が位置する際には、該机の前記天板上面より上側に開き上がり、前記投影光学手段の最終のレンズ面が机上に現れる、
ことを特徴とする机。
【請求項２４】
前記プロジェクタ投影部の前記筐体上面は、該机の前記天板と同一の材料で構成されていることを特徴とする請求項２３に記載の机。
【請求項２５】
前記プロジェクタ投影部の前記筐体上面部は、前記プロジェクタ投影部に対して着脱自在に構成されていることを特徴とする請求項２４に記載の机。
【発明の詳細な説明】
【技術分野】
【０００１】
本発明は、スクリーン上に観察者が観察可能な画像を投影するプロジェクタ装置及びそれを組み込んだ机に関する。
【背景技術】
【０００２】
小規模な打ち合わせ、会議、大人数の会議、セミナー等で複数の人が同時に映像情報を共有する手段として、プロジェクタ装置が活用されている。即ち、プロジェクタ装置は、持ち運びが可能で、参加者全員が同時に同じ資料を目にし内容を確認できるので、効率の良い会議や打ち合わせ、或いは、説得力のあるプレゼンテーションの実現に役立っている。
【０００３】
従来、プロジェクタ装置の重量が手軽に運べる程軽くはなかったので、同一建物の部屋を移動する程度で携帯性は乏しかった。ただ最近では、電子機器の集積技術の発展等に伴い小型化、軽量化が進み、プロジェクタ装置においてもコンパクト化により携帯できる商品が実現されつつある。
【０００４】
例えば、特許文献１には、光変調デバイスとして、デジタル・マイクロミラー・デバイス（ＤＭＤ：米国テキサス・インスツルメンツ社の登録商標）を使用したプロジェクタ装置が提案されている。
【０００５】
ここで、ＤＭＤとは、図１０に示すように、マトリックス状に配置された複数の正方形マイクロミラー１００で反射面を構成したものである。各マイクロミラー１００は、その対角方向となる回動軸１０１、つまりミラーの配列方向に対し４５度傾斜した回動軸１０１を持ち、ＯＦＦ時とＯＮ時とでその向きを変えるように構成されている。即ち、図１１（Ａ）及び（Ｂ）に示すように、照明光１０２及び反射光１０３が上記マイクロミラーの回動軸１０１に直角な平面１０４に沿って入射／出射するように構成した場合、図１１（Ａ）に示すようなＯＦＦ時（ＯＦＦ位置）と、図１１（Ｂ）に示すようなＯＮ時（ＯＮ位置）とでは、反射光１０３が射出する方向が異なることとなり、例えばＯＮ時に射出される方向に投影レンズ１０５を配置することで、その反射光１０３を図示しないスクリーンに投射することができる。
【０００６】
従って、このようなＤＭＤの各マイクロミラーを画素に対応させ、入力画像の各画素の値に従って各マイクロミラーをＯＮ／ＯＦＦすることで、入力画像に応じた画像を投影するプロジェクタ装置を構成することが可能となる。即ち、上記特許文献１に開示のプロジェクタ装置は、図１２（Ａ）に示すように、光源１０６を射出した光をインテグレータロッド１０７を介して照明用光学系１０８に導き、該照明用光学系１０８を射出した光の光路をＴＩＲ（Total Internal Reflection）プリズム１０９によって曲げて、ＤＭＤ用基板上１１０に配設されたＤＭＤ１１１に上記照明光１０２として入射させる。そして、このＤＭＤ１１１によって反射した反射光１０３（ＯＮ光）は、上記ＴＩＲプリズム１０９を透過し、投影光学系１１２によって不図示スクリーン面に投影される。
【０００７】
なお、ＤＭＤのミラーの回動軸１０１がミラーの配列方向に対し４５度傾斜しているので、ＤＭＤ１１１の照明光１０２は、ＤＭＤのミラーの配列方向に対し４５度傾いた方向から入射させる必要がある。そこで、図１２（Ａ）に示すように、ＤＭＤ１１１を４５度傾けてＤＭＤ基板１１０に取り付けている。このように照明光を射出する照明用光学系１０８を傾けるのではなくてＤＭＤ１１１を傾ける理由は、小さく薄い筐体内に収容できるようにするためである。
【０００８】
しかしながら、このようにＤＭＤ１１１を４５度傾けて配置した場合、投影される画像は、図１２（Ａ）に示すように、４５度傾いたものとなってしまう。そこで、上記特許文献１では、図１２（Ｂ）に示すように、ＤＭＤに垂直な軸周りに４５度回動できるように、そのような構成を収容したプロジェクタ投影部１１３を回転ヒンジ１１４を回動軸として回動可能にプロジェクタ装置ベース１１５に取り付けた構成を開示している。即ち、投影時には、プロジェクタ投影部１１３を４５度傾けることで、正立した投影画像１１６が投影されるようになるものである。
【０００９】
また、特許文献２には、ＤＭＤが、ＤＭＤに対して垂直な回転軸を中心に回動可能に設けられており、なおかつ照明光学系からＤＭＤに照射される方向が変わらないように回転軸を中心に少なくとも照明光学系の一部が回動可能に設けら、使用時には、照明光学系の少なくとも一部及びＤＭＤを上記回転軸を中心に回動させることにより、スクリーン上に投影される映像の傾きを修正して使用するプロジェクタ装置が開示されている。
【特許文献１】ＵＳ ２００２／００２４６３７ Ａ１
【特許文献２】特開２００２−３５０９７５号公報
【発明の開示】
【発明が解決しようとする課題】
【００１０】
しかしながら、上記特許文献１及び２には、そのような少なくとも投影光学系を収容した筐体を傾斜させて正規投影を行うプロジェクタ装置を具体的に実施するための工夫については何ら記載されていない。換言すれば、そのようなプロジェクタ装置を商品化する際に必要となる、使い勝手、安全性、安定投影、等の点について全く考慮されていない。
【００１１】
本発明は、上記の点に鑑みてなされたもので、使い勝手、安全性、安定投影を考慮したプロジェクタ装置、及び、そのようなプロジェクタ装置を組み込んだ机を提供することを目的とする。
【課題を解決するための手段】
【００１２】
上記の目的を達成するために、請求項１に記載の発明によるプロジェクタ装置は、
観察者が観察可能な画像を投影するプロジェクタ装置において、
少なくとも投影光学手段を含んだプロジェクタ投影部と、
前記プロジェクタ投影部に対し回動自在なように連結されると共に載置面に接して配置されるプロジェクタベース部と、
前記プロジェクタ投影部を収納時位置および投影時位置に回動させる回動手段（例えば、回転ヒンジ、付勢バネ、ロック関係が対応する）と、
前記回動手段により回動される前記プロジェクタ投影部の位置に応じて該プロジェクタ装置に関する電気的または機械的特性を異ならせる特性変更手段と、
を具備することを特徴とする。
【００１３】
この構成は、図１乃至図９に対応するものである。  
即ち、請求項１に記載の発明のプロジェクタ装置によれば、特性変更手段により、プロジェクタベース部に対するプロジェクタ投影部の回動位置に応じて、つまりプロジェクタ投影部が収納時位置と投影時位置との何れにあるかで、当該プロジェクタ装置に関する電気的または機械的特性を異ならせるようにしている。従って、収納時位置にあるときには、その状態で使い勝手や安全性の点で好ましい電気的または機械的特性とし、また、投影時位置にあるときには、その状態で使い勝手、安全性、安定投影の点で好ましい電気的または機械的特性とすることができる。
【００１４】
また、請求項２に記載の発明によるプロジェクタ装置は、請求項１に記載の発明によるプロジェクタ装置において、
該プロジェクタ装置内に対し電源を供給可能な電源手段を更に具備し、
前記特性変更手段は、前記投影時位置に前記プロジェクタ投影部がある場合にのみ、該プロジェクタ装置内に対し電源を供給可能とするように前記電源手段を制御し電気的特性を異ならせる、
ことを特徴とする。
【００１５】
この構成は、図１乃至図３に対応するものである。  
即ち、請求項２に記載の発明のプロジェクタ装置によれば、投影時位置にプロジェクタ投影部がある場合にのみ、該プロジェクタ装置内に対し電源を供給可能とする。従って、投影時位置にないときには電源を供給することができないので、プロジェクタ投影部を収納時位置として該プロジェクタを搬送する時などに、不用意な電源供給を防止できる。
【００１６】
また、請求項３に記載の発明によるプロジェクタ装置は、請求項１に記載の発明によるプロジェクタ装置において、
前記観察者が該プロジェクタ装置の動作を操作可能とする操作手段を更に具備し、
前記特性変更手段は、前記投影時位置に前記プロジェクタ投影部がある場合にのみ、前記操作手段による該プロジェクタ装置の動作を操作可能となるように制御し電気的特性を異ならせる、
ことを特徴とする。
【００１７】
この構成は、図１乃至図４に対応するものである。  
即ち、請求項３に記載の発明のプロジェクタ装置によれば、投影時位置にプロジェクタ投影部がある場合にのみ、操作手段による該プロジェクタ装置の動作を操作可能とする。従って、投影時位置にないときには操作手段を操作できないので、プロジェクタ投影部を収納時位置として該プロジェクタを搬送する時などに、不用意な操作が行われことを防止できる。
【００１８】
また、請求項４に記載の発明によるプロジェクタ装置は、請求項３に記載の発明によるプロジェクタ装置において、
該プロジェクタ装置内に対し電源を供給可能な電源手段を更に具備し、
前記特性変更手段は、前記投影時位置に前記プロジェクタ投影部があり、且つ、前記操作手段により該プロジェクタ装置内に対する電源供給を指示された時のみ、該プロジェクタ装置内に対し電源を供給するように前記電源手段を制御し電気的特性を異ならせる、
ことを特徴とする。
【００１９】
この構成は、図１乃至図４に対応するものである。  
即ち、請求項４に記載の発明のプロジェクタ装置によれば、投影時位置にプロジェクタ投影部があり、且つ、操作手段により該プロジェクタ装置内に対する電源供給を指示された時のみ、該プロジェクタ装置内に対し電源を供給可能とする。従って、より確実に不用意な電源供給を防止できる。
【００２０】
また、請求項５に記載の発明によるプロジェクタ装置は、請求項４に記載の発明によるプロジェクタ装置において、
前記操作手段は、電源スイッチであることを特徴とする。
【００２１】
この構成は、図１乃至図４に対応するものである。  
また、請求項６に記載の発明によるプロジェクタ装置は、請求項２または４に記載の発明によるプロジェクタ装置において、
前記電源手段は、バッテリであることを特徴とする。
【００２２】
この構成は、図４に対応するものである。  
また、請求項７に記載の発明によるプロジェクタ装置は、請求項１に記載の発明によるプロジェクタ装置において、
該プロジェクタ装置内に外部から空気を流入可能とする吸気口を更に具備し、
前記特性変更手段は、前記収納時位置に前記プロジェクタ投影部がある場合にのみ、前記吸気口を閉じて機械的特性を異ならせる、
ことを特徴とする。
【００２３】
この構成は、図１及び図４に対応するものである。  
即ち、請求項７に記載の発明のプロジェクタ装置によれば、プロジェクタ投影部が収納時位置にある場合にのみ吸気口が閉じられる。従って、保管時などに吸気口から該プロジェクタ装置内への埃等の進入を防止できる。
【００２４】
また、請求項８に記載の発明によるプロジェクタ装置は、請求項１に記載の発明によるプロジェクタ装置において、
該プロジェクタ装置内から外部に空気を排出可能とする排気口を更に具備し、
前記特性変更手段は、前記収納時位置に前記プロジェクタ投影部がある場合にのみ、前記排気口を閉じて機械的特性を異ならせる、
ことを特徴とする。
【００２５】
この構成は、図４に対応するものであり、「特性変更手段」は例えば「ベース側壁」が対応する。  
即ち、請求項８に記載の発明のプロジェクタ装置によれば、プロジェクタ投影部が収納時位置にある場合にのみ排気口が閉じられる。従って、保管時などに排気口から該プロジェクタ装置内への埃等の進入を防止できる。
【００２６】
また、請求項９に記載の発明によるプロジェクタ装置は、請求項１に記載の発明によるプロジェクタ装置において、
前記投影光学手段のうち最終レンズ面は、前記投影時位置に前記プロジェクタ投影部がある場合にのみ、前記観察者から観察可能な位置に現れることを特徴とする。
【００２７】
この構成は、図４、図５、図７乃至図９に対応するものである。  
即ち、請求項９に記載の発明のプロジェクタ装置によれば、プロジェクタ投影部が投影時位置にある場合にのみ、最終レンズ面が観察可能な位置に現れる。従って、収納時位置にある場合には最終レンズ面が保護され、傷が付いたり埃が付着することを防止できる。
【００２８】
また、請求項１０に記載の発明によるプロジェクタ装置は、請求項１に記載の発明によるプロジェクタ装置において、
前記プロジェクタベース部は、通信用ケーブルまたは電源用ケーブルを接続するためのコネクタを更に具備することを特徴とする。
【００２９】
この構成は、図１、図２、図４及び図５に対応するものである。  
即ち、請求項１０に記載の発明のプロジェクタ装置によれば、通信用ケーブルや電源用ケーブルはプロジェクタベース部に接続される。従って、ケーブルが引っ張られたり操作ボタンを操作しても投影ユニットが動かず、投影画像がぶれることがない。
【００３０】
また、請求項１１に記載の発明によるプロジェクタ装置は、請求項１に記載の発明によるプロジェクタ装置において、
前記回動手段は、前記プロジェクタ投影部を前記プロジェクタベース部に対して開く方向に付勢していることを特徴とする。
【００３１】
この構成は、図３（Ａ）乃至図３（Ｃ）に対応するものである。  
即ち、請求項１１に記載の発明のプロジェクタ装置によれば、プロジェクタ投影部を収納時位置および投影時位置に回動させる回動手段は、プロジェクタ投影部をプロジェクタベース部に対して開く方向に付勢しているので、観察者が力を加えなくても、プロジェクタ投影部を収納時位置から投影時位置に開くことができる。
【００３２】
また、請求項１２に記載の発明によるプロジェクタ装置は、請求項１１に記載の発明によるプロジェクタ装置において、
前記回動手段は、前記投影時位置にある前記プロジェクタ投影部を前記プロジェクタベース部に対してインターロックすることを特徴とする。
【００３３】
この構成は、図１乃至図６に対応するものである。  
即ち、請求項１２に記載の発明のプロジェクタ装置によれば、投影時位置にあるときプロジェクタ投影部はプロジェクタベース部に対してインターロックされるので、不用意にプロジェクタ投影部が投影時位置から収納時位置に閉じることを防止できる。
【００３４】
また、請求項１３に記載の発明によるプロジェクタ装置は、請求項１１に記載の発明によるプロジェクタ装置において、
前記回動手段は、前記収納時位置にある前記プロジェクタ投影部を前記プロジェクタベース部に対してインターロックすることを特徴とする。
【００３５】
この構成は、図１乃至図４に対応するものである。  
即ち、請求項１３に記載の発明のプロジェクタ装置によれば、収納時位置にあるときプロジェクタ投影部はプロジェクタベース部に対してインターロックされるので、不用意にプロジェクタ投影部が収納時位置から投影時位置に開くことを防止できる。
【００３６】
また、請求項１４に記載の発明によるプロジェクタ装置は、請求項１に記載の発明によるプロジェクタ装置において、
前記プロジェクタベース部は、戴置面と接する面上であり、且つ、前記回動手段が前記プロジェクタ投影部を回動させる回動軸と略直交する線上に、載置面に対する前記プロジェクタベース部の間隙を調整するあおり調整手段を少なくとも一つ具備することを特徴とする。
【００３７】
この構成は、図１、図３及び図４に対応するものである。  
即ち、請求項１４に記載の発明のプロジェクタ装置によれば、あおり調整手段により、プロジェクタベース部の載置面に対する間隙を調整することができるので、投影画像の投影位置を調整できる。
【００３８】
また、請求項１５に記載の発明によるプロジェクタ装置は、請求項１に記載の発明によるプロジェクタ装置において、
前記回動手段が前記収納時位置から前記投影時位置に前記プロジェクタ投影部を回動する角度は、４５度であることを特徴とする。
【００３９】
この構成は、図１乃至図５（Ａ）、及び、図６（Ａ）乃至図９に対応するものである。  
即ち、請求項１５に記載の発明のプロジェクタ装置によれば、プロジェクタ投影部は、収納時位置から４５度回動することで投影時位置になる。従って、光変調デバイスとしてのＤＭＤを４５度傾けてプロジェクタ投影部内に収容でき、プロジェクタ投影部を薄型化できる。
【００４０】
また、請求項１６に記載の発明によるプロジェクタ装置は、請求項１５に記載の発明によるプロジェクタ装置において、
前記投影時位置に前記プロジェクタ投影部がある際に前記投影光学手段が投影する画像のアスペクト比は、横長であることを特徴とする。
【００４１】
この構成は、図５（Ａ）に対応するものである。  
即ち、請求項１６に記載の発明のプロジェクタ装置によれば、横長のアスペクト比の画像を投影できるので、通常のディスプレイと同様の表示を行える。
【００４２】
また、請求項１７に記載の発明によるプロジェクタ装置は、請求項１に記載の発明によるプロジェクタ装置において、
前記回動手段が前記収納時位置から前記投影時位置に前記プロジェクタ投影部を回動する角度は、１３５度であることを特徴とする。
【００４３】
この構成は、図５（Ｂ）に対応するものである。  
即ち、請求項１７に記載の発明のプロジェクタ装置によれば、プロジェクタ投影部は、収納時位置から１３５度回動することで投影時位置になる。従って、光変調デバイスとしてのＤＭＤを４５度傾けてプロジェクタ投影部内に収容でき、プロジェクタ投影部を薄型化できる。
【００４４】
また、請求項１８に記載の発明によるプロジェクタ装置は、請求項１７に記載の発明によるプロジェクタ装置において、
前記投影時位置に前記プロジェクタ投影部がある際に前記投影光学手段が投影する画像のアスペクト比は、縦長であることを特徴とする。
【００４５】
この構成は、図５（Ｂ）に対応するものである。  
即ち、請求項１８に記載の発明のプロジェクタ装置によれば、縦長のアスペクト比の画像を投影できるので、ワープロ画面のような横書き文書を表示するのに適した表示を行うことができる。
【００４６】
また、請求項１９に記載の発明によるプロジェクタ装置は、請求項１７に記載の発明によるプロジェクタ装置において、
投影時位置に前記プロジェクタ投影部がある際、該プロジェクタ装置全体の重心位置が前記プロジェクタベース部の上部に位置するように、前記プロジェクタ投影部の重心位置を前記回動軸側にシフトさせたことを特徴とする。
【００４７】
この構成は、図５（Ｂ）に対応するものである。  
即ち、請求項１９に記載の発明のプロジェクタ装置によれば、プロジェクタ投影部の重心位置を前記回動軸側にシフトさせて構成しているので、プロジェクタ投影部を１３５度回動して開いたとしても、不安定になることがない。
【００４８】
また、請求項２０に記載の発明によるプロジェクタ装置は、請求項１に記載の発明によるプロジェクタ装置において、
前記回動手段が前記収納時位置から前記投影時位置に前記プロジェクタ投影部を回動する角度は、４５度と１３５度を選択可能であることを特徴とする。
【００４９】
この構成は、図５（Ａ）及び（Ｂ）に対応するものである。  
即ち、請求項２０に記載の発明のプロジェクタ装置によれば、４５度と１３５度の２つの投影時位置を持つので、表示しようとする画像に合わせて最適な表示を行うことができる。
【００５０】
また、請求項２１に記載の発明によるプロジェクタ装置は、請求項２０に記載の発明によるプロジェクタ装置において、
前記回動手段が前記プロジェクタ投影部を４５度から１３５度に回動する際、前記プロジェクタ投影部から画像が投影されないことを特徴とする。
【００５１】
この構成は、図５（Ａ）及び（Ｂ）に対応するものである。  
即ち、請求項２１に記載の発明のプロジェクタ装置によれば、プロジェクタ投影部を４５度から１３５度に回動する際には、画像が投影されないようにするので、傾いた画像を表示してしまうことを防止できる。
【００５２】
また、請求項２２に記載の発明によるプロジェクタ装置は、請求項１７または２０に記載の発明によるプロジェクタ装置において、
前記回動手段は、前記プロジェクタ投影部を回動する角度を前記観察者が微調整することを可能とする調整手段を有することを特徴とする。
【００５３】
この構成は、図６（Ａ）及び（Ｂ）に対応するものである。  
即ち、請求項２２に記載の発明のプロジェクタ装置によれば、プロジェクタ投影部を回動する角度を微調整できるので、該プロジェクタ装置を載置する面の傾きを補正して、投影画像の長辺（または短辺）を鉛直方向に合わせることができる。
【００５４】
また、上記の課題を解決するために、請求項２３に記載の発明による机は、
請求項１乃至２２の何れかに記載のプロジェクタ装置を組み込んだ机であって、
前記プロジェクタ投影部の筐体上面は、
前記収納時位置に前記プロジェクタ投影部が位置する際には、該机の天板上面と同一面となり、且つ、
前記投影時位置に前記プロジェクタ投影部が位置する際には、該机の前記天板上面より上側に開き上がり、前記投影光学手段の最終のレンズ面が机上に現れる、
ことを特徴とする。
【００５５】
この構成は、図７（Ａ）乃至図９に対応するものである。  
即ち、請求項２３に記載の発明の机によれば、プロジェクタ投影部の収納時位置では、プロジェクタ投影部の筐体上面と当該机の天板上面と同一面となるので、プロジェクタ装置を使用しないときに邪魔になることはない。また、プロジェクタ装置のために特別な収容位置を用意する必要がない。
【００５６】
また、請求項２４に記載の発明による机は、請求項２３に記載の発明による机において、
前記プロジェクタ投影部の前記筐体上面は、該机の前記天板と同一の材料で構成されていることを特徴とする。
【００５７】
この構成は、図７（Ａ）乃至図９に対応するものである。  
即ち、請求項２４に記載の発明の机によれば、プロジェクタ投影部の筐体上面と机の天板とを同一の材料で構成しているので、違和感なく筐体上面を机の天板の一部として使用できる。
【００５８】
また、請求項２５に記載の発明による机は、請求項２４に記載の発明による机において、
前記プロジェクタ投影部の前記筐体上面部は、前記プロジェクタ投影部に対して着脱自在に構成されていることを特徴とする。
【００５９】
この構成は、図９に対応するものである。  
即ち、請求項２５に記載の発明のプロジェクタ装置によれば、プロジェクタ投影部の筐体上面部をそのプロジェクタ投影部に対して着脱自在に構成しているので、力が加わって破損したとしても、その部分だけを容易に交換できる。
【発明の効果】
【００６０】
本発明によれば、使い勝手、安全性、安定投影を考慮したプロジェクタ装置、及び、そのようなプロジェクタ装置を組み込んだ机を提供することができる。
【発明を実施するための最良の形態】
【００６１】
以下、本発明を実施するための最良の形態を図面を参照して説明する。
【００６２】
［第１実施形態］  
図１は、本発明の第１実施形態に係るプロジェクタ装置の構成を示す外観斜視図である。
【００６３】
即ち、本実施形態に係るプロジェクタ装置は、少なくとも投影光学系を含んだプロジェクタ投影部１と、該プロジェクタ投影部１に対し、回転ヒンジ３を軸として、回動自在なように連結されると共に載置面に接して配置されるプロジェクタベース部２とからなる。ここで、プロジェクタ投影部１は、プロジェクタベース部２に対して、収納時位置と投影時位置とに回動され、それぞれの位置でインターロックされるようになっている。即ち、プロジェクタ投影部１に設けられた係止穴４とそれに係合するプロジェクタベース部２に設けられたフック５とにより、収納時位置におけるインターロック機構が構成され、例えば当該プロジェクタ装置の搬送時などに、プロジェクタ投影部１がプロジェクタベース部２に対して不用意に開かないようになっている。この係止穴４とフック５の係合は、プロジェクタベース部２に設けられた開ボタン６の押下により解除され、プロジェクタ投影部１がプロジェクタベース部２に対して開くことができる。このとき、観察者が手で撮影時位置まで開くものとしても良いが、本実施形態では、プロジェクタ投影部１が開状態になる方向に付勢する、回転ヒンジ３の部分に設けた付勢バネ（図３（Ｂ），（Ｃ）参照）により自動的に開くものとしている。そして、プロジェクタ投影部１がプロジェクタベース部２に対して４５度回動した投影時位置で、図示しないインターロック機構により固定される。これにより、不用意にプロジェクタ投影部１がプロジェクタベース部２に対して閉じないようになっている。即ち、投影時にプロジェクタ投影部１が閉じて投影に不適な状態になったり、人体に危害を与えないようになっている。また、プロジェクタ投影部１が開くと、投影時位置センサ７がそれを検知し、電源投入を可能にするようになっている（詳細は後述する）。即ち、投影に適した開状態以外では電源が入らない。
【００６４】
また、上記プロジェクタベース部２を構成する面のうち、プロジェクタ投影部１に対向する面上には、操作者が該プロジェクタ装置の機能を制御するための操作ボタン８や該プロジェクタ装置ヘの電源供給を制御する電源スイッチ９が配置されている。これら操作ボタン８や電源スイッチ９は、該プロジェクタ投影部１がプロジェクタベース部２に対して回動した位置で固定されている状態の時のみ操作可能である。従って、当該プロジェクタ装置の搬送時や保管時に不用意にそれらが作用することはない。
【００６５】
なお、上記プロジェクタベース部２を構成する面のうち、プロジェクタ載置面に垂直となる面に、信号線や電源線等のケーブル類１０が接続されるコネクタ１１が配置されている。即ち、ケーブル類１０がプロジェクタ投影部１側に接続されていると、例えばそれらのケーブル類１０に力を加えたときに、その力が小さなものであっても、投影画像が大きくスクリーン面で揺れてしまうので、このようにプロジェクタベース部２側に接続するようにしている。
【００６６】
また、プロジェクタベース部２の下部、投影画像側先端近傍位置に、あおり調整ねじ１２が設けられている。この場合、あおり調整ねじ１２を２個設けているので、あおり調整加えて、投影の傾き調整も可能となっている。
【００６７】
一方、上記プロジェクタ投影部１には、吸気口１３と排気口１４が設けられているが、この場合、吸気口１３は、プロジェクタベース部２に対向する面上に配置している。従って、この吸気口１３は、該プロジェクタ投影部１がプロジェクタベース部２に対して回動した位置で固定されている状態の時のみ吸気を行える孔が現れるようになっている。こうすることで、非投影時に、吸気口１３からの埃の進入を防ぐことができる。なお、このように、吸気口１３の孔が現れたときしかプロジェクタ投影部１内の冷却を行えないので、上述したようにプロジェクタ投影部１が投影時位置に回動したとき以外では電源が入らないようにしておくことは、重要である。
【００６８】
図２（Ａ）及び（Ｂ）は、本実施形態に係るプロジェクタ装置の電源供給系の構成を示す模式図である。ここで、図２（Ａ）はプロジェクタ投影部１が収納時位置にある場合を、図２（Ｂ）はプロジェクタ投影部１がプロジェクタベース部２に対して４５度回動した投影時位置にある場合を、それぞれ示している。
【００６９】
即ち、プロジェクタ投影部１内には、電源１５と、該電源１５によって駆動される制御部１６と、該制御部１６によって点灯制御される光源１７と、上記制御部１６によって各マイクロミラーのＯＮ／ＯＦＦが制御されるＤＭＤ１８とが配されている。そして、プロジェクタベース部２に接続された電源コード１０Ａから上記プロジェクタ投影部１内の電源１５への給電経路上に、センサスイッチ１９と電源スイッチ９とが配されている。
【００７０】
ここで、センサスイッチ１９は、図２（Ａ）に示すように、上記プロジェクタ投影部１が上記プロジェクタベース部２に対して閉じた収納時位置にあっては、上記プロジェクタ投影部１によって押し下げられた投影時位置センサ７により、自らが有する付勢力に抗して押し下げられ、ＯＦＦ状態とされている。そして、図２（Ｂ）に示すように、プロジェクタ投影部１が投影時位置になると、上記投影時位置センサ７がバネ付勢力により上方に移動し、センサスイッチ１９は自らが有する付勢力によりＯＮ状態になる。また、上述したように、その状態で初めて電源スイッチ９が操作可能になるものであり、よって、電源スイッチ９の摺動操作により、電源に電力を供給することが可能になる。
【００７１】
図３（Ａ）乃至（Ｃ）は、本実施形態に係るプロジェクタ装置の光学系の平面的な配置関係を示す図である。ここで、図３（Ａ）はプロジェクタ投影部１を上方から見た場合を示しており、図３（Ｂ）はプロジェクタ投影部１が収納時位置にある場合、図３（Ｃ）はプロジェクタ投影部１がプロジェクタベース部２に対して４５度回動した投影時位置にある場合、をそれぞれ投影画像側から見た図を示している。
【００７２】
即ち、プロジェクタ投影部１内に、光源１７、インテグレータロッド２０、照明光学系２１、ＴＩＲプリズム２２、ＤＭＤ１８、投影光学系２３を、上記特許文献１と同様に配置している。即ち、光源１７から射出した光を、インテグレータロッド２０に集光し、照明光学系２１によってＴＩＲプリズム２２に導き、そのＴＩＲプリズム２２で全反射させることにより、ＤＭＤ１８を照明する。そして、このように照明した照明光をＤＭＤ１８で反射させることにより光変調を行い、その光変調後に上記ＴＩＲプリズム２２を透過した光を投影光学系２３で投影する。また、投影画像側から見て、上記光源１７、インテグレータロッド２０、照明光学系２１、ＴＩＲプリズム２２、及びＤＭＤ１８の後ろ側に、上記電源１５と、上記制御部１６を実装した制御基板１６Ａとが配置されている。
【００７３】
また、上述したように、回転ヒンジ３の部分には、プロジェクタ投影部１が開状態になる方向に付勢する付勢バネ２４が配されており、これにより、フック５による係止が解放されたとき、図３（Ｂ）に示す状態から図３（Ｃ）に示す状態に自動的にプロジェクタ投影部１が開くようになっている。
【００７４】
［第２実施形態］  
次に、本発明の第２実施形態に係るプロジェクタ装置を、その投影時の外観斜視図である図４を参照して説明する。
【００７５】
即ち、本実施形態に係るプロジェクタ装置は、上記第１実施形態における電源コード１０Ａの代わりに、バッテリ２５を使用するものである。そのため、プロジェクタベース部２の投影画像側のベース壁面２Ａが立ち上がり、そこに上記バッテリ２５を係止するためのバッテリ係止部２６が設けられている。このように、重量物であるバッテリ２５をプロジェクタベース部２側に取り付けることで、重心が下がり、より安定する。なお、ケーブル類１０の内、他のケーブルは上記ベース壁面２Ａとは反対側の側面に取り付けることができるよう、そのためのコネクタが上記ベース壁面２Ａとは反対側の側面に設けられている。
【００７６】
また、上記プロジェクタベース部２のベース壁面２Ａには、上記投影光学系２３の内、上記プロジェクタ投影部１から突出している最終レンズ面２３Ａの起伏に合わせて、溝２７が設けられており、上記プロジェクタ投影部１を閉じようとしたときに、その最終レンズ面２３Ａが上記ベース壁面２Ａに当接することがないようにされている。このように、プロジェクタ投影部１が投影時位置にある場合にのみ、最終レンズ面２３Ａが観察可能な位置に現れるようにすることで、収納時位置にある場合にはベース壁面２Ａがレンズカバーの役割をし、最終レンズ面２３Ａが保護され、傷が付いたり埃が付着することを防止できる。
【００７７】
さらに、プロジェクタ投影部１を構成する面のうち、プロジェクタベース部２の上記バッテリ２５を取り付けるベース壁面２Ａに対向する面上に、該プロジェクタ投影部１内の放熱に用いる排気口１４を配置している。この排気口１４は、プロジェクタ投影部１がプロジェクタベース部２に対して回動した投影時位置で固定されている状態の時のみ排気を行える孔が現れるようになっている。こうすることで、非投影時に、排気口１４からのゴミや埃、異物の進入を防ぐことができる。もちろん、吸気口１３については、上記第１実施形態と同様の構成であり、非投影時に、その吸気口１３からのゴミや埃、異物の進入を防ぐことができることは言うまでもない。
【００７８】
また、本実施形態においては、プロジェクタベース部２は、電源スイッチ９や操作ボタン８等の操作スイッチが設けられた操作パネル２８が回動することで、操作し易くすると共に、開いたプロジェクタ投影部１を支持する構成としている。これのような操作パネル２８の構成は勿論、上記第１実施形態においても適用可能である。
【００７９】
［第３実施形態］  
図５（Ａ）及び（Ｂ）は、本発明の第３実施形態に係るプロジェクタ装置の外観斜視図である。
【００８０】
本実施形態においては、電源１５や光源１７など回転する必要のないところがプロジェクタベース部２内に収納され、そのため、プロジェクタベース部２が厚く箱状になっているものである。そして、上記第１及び第２実施形態とは異なり、操作ボタンや電源スイッチ等の各種操作部材が、プロジェクタ投影部１の回動とは無関係に、常に露出している。従って、本実施形態では、プロジェクタ投影部１が投影時位置に回動されたことを検出するまで、それらの操作部材が操作されたとしても、その操作に応じた動作を行わないような構成としておくことが好ましい。
【００８１】
また、本実施形態では、プロジェクタ投影部１が回動される投影時位置として、図５（Ａ）に示すようなプロジェクタベース部２に対して４５度回動した位置と、図５（Ｂ）に示すようなプロジェクタベース部２に対して１３５度回動した位置との２つの位置を選択可能なように構成されている。即ち、図示しないロック機構により、それぞれの投影時位置でインターロックされるようになっている。この場合、図５（Ａ）に示すような４５度の投影時位置においては、横長のアスペクト比の投影画像２９を得ることができるので、通常のディスプレイと同様の表示を行える。また、図５（Ｂ）に示すような１３５度の投影時位置においては、縦長のアスペクト比の投影画像２９を得ることができるので、ワープロ画面のような横書き文書を表示するのに適した表示を行うことができる。このように、２つの投影時位置を選択できるので、表示しようとする画像に合わせて最適な表示を行うことができる。なお、プロジェクタ投影部１を４５度と１３５度との間で回動させる際には、ＤＭＤのマイクロミラーを全てＯＦＦ状態にする等して、画像が投影されないようにすることが好ましい。そのようにすれば、傾いた画像を表示してしまうことを防止できる。
【００８２】
また、本実施形態では、電源１５や光源１７などをプロジェクタベース部２側に収納することで、該プロジェクタ装置全体の重心位置が該プロジェクタベース部２の上部に位置するように、プロジェクタ投影部１の重心位置をその回動軸側にシフトさせているので、図５（Ｂ）に示すように１３５度に回動したとしても、不安定になることがない。
【００８３】
なお、プロジェクタ投影部１が投影時位置にあるときに吸排気口の孔が現れることや、投影光学系２３の最終レンズ面２３Ａが現れることは、上記第２実施形態と同様である。
【００８４】
［第４実施形態］  
次に、本発明の第４実施形態を、図６（Ａ）及び（Ｂ）を参照して説明する。
【００８５】
本実施形態に係るプロジェクタ装置においては、プロジェクタ投影部１は、ロック部材３０のロック穴３１にロック部材３２が係合することで、開状態に固定される。そして、ロック部材３０の回動軸３３を軸にして、プロジェクタ投影部１とプロジェクタベース部２の回転位置関係が調整ねじ３４によって決められている。
【００８６】
即ち、投影時位置にプロジェクタ投影部１を一旦開状態に固定した後、調整ねじ３４を回すことによってプロジェクタ投影部１とプロジェクタベース部２の相対角度関係が微調整でき、プロジェクタ装置を載置する面の傾きを補正して、投影画像の長辺（または短辺）を鉛直方向に合わせることができる。
【００８７】
［机の実施形態］  
次に、図７（Ａ）及び（Ｂ）を参照して、上記第１乃至第４実施形態の何れかに係るプロジェクタ装置を組み込んだ机の一実施形態としてのテーブル３５を説明する。
【００８８】
即ち、このテーブル３５は、上記第１乃至第４実施形態の何れかに係るプロジェクタ装置を内蔵し、画像の投影時には、図７（Ｂ）及び図８に示すように、プロジェクタ投影部１が投影時位置にポップアップする。そして、非投影時には、図７（Ａ）及び図８に示すように、プロジェクタ投影部１が収納時位置となり、このとき、その上面がテーブル天板３６と同一面になり邪魔にならない。
【００８９】
なお、プロジェクタ投影部１は、収納時位置にあるときに、一旦床面方向に押し下げられることでロック状態が解除されるようになっていても良いし、テーブル３５の側面に上記開ボタン６に相当するボタンを設けても良い。あるいは、テーブル３５側面にねじやハンドルを設け、それを回動させることでプロジェクタ投影部１が回動する構成としても良い。
【００９０】
また、投影画像２９を表示するスクリーン面と、テーブル３５（プロジェクタ装置）と、観察者が投影画像２９を観察するために着座するテーブル３５の回りの位置とが予め規定されるので、投影時位置にあるときのプロジェクタ投影部１の投影方向（あおり角）及び傾きは一定であり、よって、特にそれらの微調整のための機構は必要ない。勿論、そのような微調整機構を備えていても構わない。
【００９１】
なお、テーブル３５には、ＰＣ３７等の画像生成手段によって生成された投影表示すべき画像データを受け取るための、接続部３８を備えていることは言うまでもない。
【００９２】
また、図９に示すように、着脱自在な蓋３９がテーブル天板３６と同一面をなす構成としても良い。このようにした場合、テーブル天板３６面に載置するものの重量を蓋３９が受け、プロジェクタ投影部１に直接加重がかからないので、故障の心配が低減できる。また、万一、その加重により蓋３９が破損したとしても、その蓋３９のみを交換すれば良い。
【００９３】
以上実施形態に基づいて本発明を説明したが、本発明は上述した実施形態に限定されるものではなく、本発明の要旨の範囲内で種々の変形や応用が可能なことは勿論である。
【００９４】
例えば、プロジェクタ装置は、机に限らず、天井面、壁面、床面に埋め込んでも良い。壁面の場合、その回動軸は下側とすれば、プロジェクタ投影部１は自重で開くので、特別な付勢部材が不要となる。
【図面の簡単な説明】
【００９５】
【図１】本発明の第１実施形態に係るプロジェクタ装置の構成を示す外観斜視図である。
【図２】（Ａ）はプロジェクタ投影部が収納時位置にある場合の第１実施形態に係るプロジェクタ装置の電源供給系の構成を示す模式図であり、（Ｂ）はプロジェクタ投影部がプロジェクタベース部に対して４５度回動した投影時位置にある場合の第１実施形態に係るプロジェクタ装置の電源供給系の構成を示す模式図である。
【図３（Ａ）】プロジェクタ投影部を上方から見た場合の第１実施形態に係るプロジェクタ装置の光学系の平面的な配置関係を示す図である。
【図３（Ｂ）】プロジェクタ投影部が収納時位置にある場合に投影画像側から見た第１実施形態に係るプロジェクタ装置の光学系の平面的な配置関係を示す図である。
【図３（Ｃ）】プロジェクタ投影部がプロジェクタベース部に対して４５度回動した投影時位置にある場合に投影画像側から見た第１実施形態に係るプロジェクタ装置の光学系の平面的な配置関係を示す図である。
【図４】本発明の第２実施形態に係るプロジェクタ装置の構成を示す外観斜視図である。
【図５】（Ａ）はプロジェクタ投影部がプロジェクタベース部に対して４５度回動した投影時位置にある場合の本発明の第３実施形態に係るプロジェクタ装置の構成を示す外観斜視図であり、（Ｂ）はプロジェクタ投影部がプロジェクタベース部に対して１３５度回動した投影時位置にある場合の第３実施形態に係るプロジェクタ装置の構成を示す外観斜視図である。
【図６】（Ａ）はプロジェクタ投影部が収納時位置にある場合の本発明の第４実施形態に係るプロジェクタ装置の微調整機構の状態を示す模式図であり、（Ｂ）はプロジェクタ投影部がプロジェクタベース部に対して４５度回動した投影時位置にある場合の第４実施形態に係るプロジェクタ装置の微調整機構の状態を示す模式図である。
【図７】（Ａ）はプロジェクタ投影部が収納時位置にある場合の本発明の机の一実施形態に係るテーブルを示す外観斜視図であり、（Ｂ）はプロジェクタ投影部が投影時位置にある場合のテーブルを示す外観斜視図である。
【図８】一実施形態に係るテーブルのプロジェクタ投影部近傍を示す断面図である。
【図９】一実施形態に係るテーブルの変形例を説明するためのプロジェクタ投影部近傍を示す断面図である。
【図１０】ＤＭＤの概略構成を示す図である。
【図１１】（Ａ）はＯＦＦ時のマイクロミラーの向きと反射光の方向を示す図であり、（Ｂ）はＯＮ時のマイクロミラーの向きと反射光の方向を示す図である。
【図１２】（Ａ）は特許文献１に開示のプロジェクタ装置の光学系の配置構成を示す図であり、（Ｂ）は特許文献１に開示のプロジェクタ装置での投影状態を示す図である。
【符号の説明】
【００９６】
１…プロジェクタ投影部、  ２…プロジェクタベース部、  ２Ａ…ベース壁面、  ３…回転ヒンジ、  ４…係止穴、  ５…フック、  ６…開ボタン、  ７…投影時位置センサ、  ８…操作ボタン、  ９…電源スイッチ、  １０…ケーブル類、  １０Ａ…電源コード、  １１…コネクタ、  １２…調整ねじ、  １３…吸気口、  １４…排気口、  １５…電源、  １６…制御部、  １６Ａ…制御基板、  １７…光源、  １８…デジタル・マイクロミラー・デバイス（ＤＭＤ）、  １９…センサスイッチ、  ２０…インテグレータロッド、  ２１…照明光学系、  ２２…ＴＩＲプリズム、  ２３…投影光学系、  ２３Ａ…最終レンズ面、  ２４…付勢バネ、  ２５…バッテリ、  ２６…バッテリ係止部、  ２７…溝、  ２８…操作パネル、  ２９…投影画像、  ３０，３２…ロック部材、  ３１…ロック穴、  ３３…回動軸、  ３４…調整ねじ、  ３５…テーブル、  ３６…テーブル天板、  ３７…ＰＣ、  ３８…接続部、  ３９…蓋。
【図１】
2005055812.tif 000003
【図２】
2005055812.tif 000004
【図３（Ａ）】
2005055812.tif 000005
【図３（Ｂ）】
2005055812.tif 000006
【図３（Ｃ）】
2005055812.tif 000007
【図４】
2005055812.tif 000008
【図５】
2005055812.tif 000009
【図６】
2005055812.tif 000010
【図７】
2005055812.tif 000011
【図８】
2005055812.tif 000012
【図９】
2005055812.tif 000013
【図１０】
2005055812.tif 000014
【図１１】
2005055812.tif 000015
【図１２】
2005055812.tif 000016